(57)【要約】【課題】雌雄一対のハウジングにより構成されるコネクタにおいて、最大接続数より少ない数の端子を異なる配置の複数種として使用する場合の誤接続を防止する。【解決手段】雄端子３を縦５列・横２列に配置可能な基台１ａと、基台を囲む周壁１ｂとにより形成された雄ハウジング形状のヘッダ１に、未接続の端子位置に基台から周壁の開口面に至るストッパ突部１３を周壁に設けた突条により形成する。雌端子４を収容する雌端子収容孔１１が設けられたブロック状の雌端子支持体２ａが形成された雌ハウジング形状のソケット２に、ストッパ突部を受容する溝状のストッパ用凹部１４を設ける。ストッパ突部とストッパ用凹部とが互いに異なる位置のヘッダ及びソケットの組合せでは、ストッパ突部が突入部に衝当するため、誤接続を防止し得る。【選択図】図４
2017059491.tif 000002
【特許請求の範囲】
【請求項１】
互いに嵌合状態で結合される雄ハウジング及び雌ハウジングを有するコネクタであって、
前記雄ハウジングは、複数の雄端子を互いに平行に少なくとも一方向に突出させるように支持する基台と、前記複数の雄端子の突出部分を外囲するように前記基台から延出する周壁とを有し、
前記雌ハウジングは、前記複数の雄端子に対応して配置される複数の雌端子を支持すると共に前記周壁により囲まれた部分に突入し、かつ前記雄端子をそれぞれ挿入可能に該突入方向に開口する複数の雄端子挿入口を備えた雌端子支持体を有し、
前記雄ハウジングには、少なくとも１つの前記雄端子挿入口に嵌入不能な形状及び又は大きさを有するストッパ突部が設けられ、
前記少なくとも１つの雄端子挿入口に対応する雌端子を省略し、かつ前記ストッパ突部に対応する前記雄端子挿入口を、拡開及び又は変形することにより、前記ストッパ突部を受容可能としたことを特徴とするコネクタ。
【請求項２】
前記ストッパ突部は、前記周壁の開口面と同一面となる突出方向端面を有することを特徴とする請求項１に記載のコネクタ。
【請求項３】
前記ストッパ突部は、前記基台から前記雄端子と平行に突出するように前記周壁の内面に突設された突条に形成され、
前記雄端子挿入口の前記ストッパ突部を受容可能としたものが、前記嵌合状態で前記雌端子支持体の前記周壁と対峙する側面に開口する溝状に形成されていることを特徴とする請求項１または請求項２に記載のコネクタ。
【請求項４】
前記雌ハウジングに、前記雌端子を挿入して収容するべく前記突入方向とは相反する側に開口する雌端子収容孔が設けられ、
前記雄端子挿入口の前記ストッパ突部を受容可能としたものに対応する部分が遮蔽されていることを特徴とする請求項１乃至請求項３のいずれかに記載のコネクタ。
【請求項５】
前記雌ハウジングに、前記雌端子を挿入して収容する雌端子収容孔と、前記雌端子収容孔に挿入された前記雌端子を抜け止めするリテーナを前記突入方向に交差する向きに挿入するためのリテーナ挿入孔とが設けられ、
前記リテーナ挿入孔の一部は、前記溝状に形成された部分の底壁に設けられていることを特徴とする請求項３に記載のコネクタ。
【発明の詳細な説明】
【技術分野】
【０００１】
本発明は、種々の電気配線の接続に使用されるコネクタに関するものである。
【背景技術】
【０００２】
従来、電気配線の中継に種々のコネクタが用いられており、例えば、雄端子が組付けられた雄ハウジング（ヘッダ）と、雌端子が組付けられた雌ハウジング（ソケット）とを互いに嵌合結合するコネクタがある。また、コネクタの形式として、複数の端子を横一列または縦横複数列に配置したものがあり、そのような多極コネクタにおいて、共通のハウジングを用い、必要に応じて接続数を少なくして用いられる場合がある。端子の接続数を減らす場合には、各ハウジングに組付けられる雌雄の各端子は、互いに接続されるべき位置にそれぞれ配置され、接続されない位置には配置されない。
【０００３】
また、基板に複数のヘッダを配置する場合に、同一形状のヘッダ及びソケットを用いることによりコネクタのコストを低減し得る。したがって、基板に配置される同一形状のヘッダにおいて全極（最大接続数）を必要としないものがある場合には、接続数に応じて必要とする数及び位置に端子が組付けられたヘッダ及びソケットが組み合わされる。しかしながら、接続数や位置の違うヘッダ及びソケット同士の間でも、ハウジングの外形が同一である場合には接続可能となり、それにより誤接続が生じるという問題がある。
【０００４】
そのような誤接続を防止するために、コネクタの互いに嵌合結合される一対のハウジング内にそれぞれ雌雄の各サブハウジングを組付けるようにして、サブハウジングを接続数の異なる複数種類用意し、雌サブハウジングには凹所を形成すると共にその凹所に溝状の第１識別部を形成し、雄サブハウジングには、雌ハウジングとの正しい組合せの場合に第１識別部と凹凸嵌合する第２識別部を形成し、対応する両ハウジングの嵌合を可能にしたものがある（例えば特許文献１参照）。
【先行技術文献】
【特許文献】
【０００５】
【特許文献１】特開２０１１−１４４５４号公報
【発明の概要】
【発明が解決しようとする課題】
【０００６】
上記特許文献１では、誤接続を防止することができるが、ハウジングにサブハウジングを組付ける作業が必要であり、組付け作業が煩雑化するという問題がある。また、識別部がサブハウジングの左右両側面に設けられていることから、サブハウジングを多様化する場合に、複数種類の識別部を明確に異なる位置に設けることが困難であり、多様化による種類の増大に対応できないという問題があった。
【０００７】
本発明は、以上の背景に鑑み、雌雄一対のハウジングにより構成されたコネクタにおいて、非接続のため省略された端子に対応する位置を変えた複数種類のものを混在して使用する場合の誤接続を防止することを課題とする。
【課題を解決するための手段】
【０００８】
上記課題を解決するために、本発明は、互いに嵌合状態で結合される雄ハウジング（１）及び雌ハウジング（２）を有するコネクタであって、前記雄ハウジングは、複数の雄端子（３）を互いに平行に少なくとも一方向に突出させるように支持する基台（１ａ）と、前記複数の雄端子の突出部分を外囲するように前記基台から延出する周壁（１ｂ）とを有し、前記雌ハウジングは、前記複数の雄端子に対応して配置される複数の雌端子（４）を支持すると共に前記周壁により囲まれた部分に突入し、かつ前記雄端子をそれぞれ挿入可能に該突入方向に開口する複数の雄端子挿入口（１１）を備えた雌端子支持体（２ａ）を有し、前記雄ハウジングには、少なくとも１つの前記雄端子挿入口に嵌入不能な形状及び又は大きさを有するストッパ突部（１３）が設けられ、前記少なくとも１つの雄端子挿入口に対応する雌端子を省略し、かつ前記ストッパ突部に対応する前記雄端子挿入口（１４）を、拡開及び又は変形することにより、前記ストッパ突部を受容可能としたことを特徴とする。
【０００９】
この構成によれば、雌及び雄ハウジングは、未使用端子の位置が同じもの同士の場合にはストッパ突部が対応する位置の雄端子挿入口を拡開及び又は変形した部分に受容されるため互いに嵌合可能になり、未使用端子の位置が互いに異なる場合には、ストッパ突部が雄端子挿入孔に挿入されずに雌端子支持体の突入方向端部に衝当するようになるため、互いに嵌合状態にならず、誤接続が防止される。
【００１０】
また、上記の発明において、前記ストッパ突部は、前記周壁の開口面と同一面となる突出方向端面（１３ａ）を有するとよい。
【００１１】
この構成によれば、雄ハウジングにおいて、ストッパ突部の突出方向端面が周壁による開口面と同一面上に位置することから、未使用端子の位置を外見で容易に視認でき、組合せの間違いを未然に防ぐことができる。
【００１２】
また、前記ストッパ突部は、前記基台から前記雄端子と平行に突出するように前記周壁の内面に突設された突条に形成され、前記雄端子挿入口の前記ストッパ突部を受容可能としたもの（１４）が、前記嵌合状態で前記雌端子支持体の前記周壁と対峙する側面に開口する溝状に形成されているとよい。
【００１３】
この構成によれば、ストッパ突部が周壁のリブのように一体的に形成されるため、周壁の強度を高めることができ、周壁の変形が抑止されることによりストッパ突部を精度良く形成することができ、端子が高密度に配置されるコネクタにおいて隣り合う端子とストッパ突部との干渉が回避され、端子が高密度に配置されるコネクタにも適用可能となる。
【００１４】
また、前記雌ハウジングに、前記雌端子を挿入して収容するべく前記突入方向とは相反する側に開口する雌端子収容孔（２１）が設けられ、前記雄端子挿入口の前記ストッパ突部を受容可能としたものに対応する部分が遮蔽されている（１５）とよい。
【００１５】
この構成によれば、雌ハウジングの突入方向反対側において、雌端子を挿入して収容するための雌端子収容孔は開口し、それに対して未使用の雌端子の位置に対応する部分が遮蔽されていることから、雌ハウジングにおける端子の未使用位置と、雌型端子のストッパ突部の位置とを同方向視で確認することができ、誤接続を嵌合結合させる前に容易に防止することができる。
【００１６】
また、前記雌ハウジングに、前記雌端子を挿入して収容する雌端子収容孔と、前記雌端子収容孔に挿入された前記雌端子を抜け止めするリテーナ（５）を前記突入方向に交差する向きに挿入するためのリテーナ挿入孔（１６）とが設けられ、前記リテーナ挿入孔の一部は、前記溝状に形成された部分の底壁（１４ａ）に設けられているとよい。
【００１７】
この構成によれば、端子を抜け止めするためのリテーナを設けたコネクタにおいて、ストッパ突部を受容する部分が雌端子支持体の側面に開口する溝状に形成されていることから、溝状に形成された部分の底壁の肉厚を厚くすると共にその底壁にリテーナ挿入孔の一部が設けられていることにより、肉厚の厚い底壁にリテーナを係合させることができ、リテーナに対する支持力を高めることができる。これにより、端子の細密化に対応して雌端子収容孔を画定する仕切り壁の肉厚が薄くなっても、肉厚の底壁にリテーナを係合させることにより、薄い仕切り壁の変形を防止することができる。
【発明の効果】
【００１８】
このように本発明によれば、雌雄一対のハウジングにより構成されたコネクタにおいて、非接続のため省略された端子に対応する位置を変えた複数種類のものを混在して使用する場合の誤接続を防止することができる。
【図面の簡単な説明】
【００１９】
【図１】本発明が適用された多極コネクタの要部構成を示す分解組立斜視図
【図２】ヘッダの斜視図
【図３】図１の矢印III線により示される方向から見たソケットの後端面図
【図４】（Ａ）は図３のIVａ−IVａ線に沿うヘッダ及びソケットの断面図、（Ｂ）は図３のIVｂ−IVｂ線に沿うヘッダ及びソケットの断面図
【図５】ヘッダ及びソケットの結合状態を示す図４（Ｂ）に対応する断面図
【発明を実施するための形態】
【００２０】
以下、本発明の実施形態を、図面を参照しながら説明する。図1は本発明が適用された多極コネクタの要部構成を示す分解組立斜視図である。なお、説明において位置関係を示す場合には図の矢印で示される上下左右方向を用いるものとする。
【００２１】
コネクタは、雄ハウジングとしてのヘッダ１と、ヘッダ１に没入状態に嵌合結合される雌ハウジングとしてのソケット２とにより構成される。ヘッダ１及びソケット２は、合成樹脂の成型品である。ヘッダ１には、コネクタが使用される回路における電気的接続数に応じた所定数の雄端子３が組付けられ、ソケット２には、雄端子３と同数の雌端子４が組付けられる。
【００２２】
なお、本発明が適用可能なコネクタの極数としての最大接続数は２極以上であってよく、また配置パターンも任意であってよい。本実施例では、上下方向を縦列とし、左右方向を横列とした場合に、端子を縦５列・横２列の格子状に配置可能な最大接続数が１０極のコネクタを一例として説明するが、本発明の対象となるコネクタとしては、縦横の列の数や最大接続数（極数）も１０極に限られるものではなく、また配置パターンも例えば円周上に端子が並べられるものにも適用可能である。また、ソケット２には雌端子４を抜け止め固定するための棒状のリテーナ５が組付けられるが、例えば後記するように雌端子４に切り起こされた形状の係合片４ｃが設けられている場合にはリテーナ５の組付けを省略してもよい。
【００２３】
図２はヘッダ１の斜視図であり、図３は図１の矢印III線により示される方向から見たソケット２の後端面図である。図４（Ａ）は図３のIVａ−IVａ線に沿うヘッダ１及びソケット２の断面図であり、図４（Ｂ）は図３のIVｂ−IVｂ線に沿うヘッダ１及びソケット２の断面図である。図５は、ヘッダ１及びソケット２の結合状態を示す図４（Ｂ）に対応する断面図である。
【００２４】
本実施例のヘッダ１は、図２に示されるように基板６に立設状態に固定されて使用され、基板６に載置される基台１ａと、基台１ａを矩形状に囲むように立設された周壁１ｂとにより、直方体形状の外形を有するように形成されている。このように形成された基台１ａ及び周壁１ｂにより、基台１ａを底面とし、基台１ａとは相反する側に開口する有底矩形筒状の嵌合孔１ｃが画定されている。なお、基台１ａと基板６とは、基台１ａの突状脚部を基板６の孔に挿入して位置決めされ、雄端子３を半田付けすることにより固定される。
【００２５】
基台１ａには、雄端子３が基台１ａを介してヘッダ１の内外に貫通するように組付けられている。雄端子３は、基台１ａからヘッダ１の外方に突出して基板６に半田付けされる脚部３ａと、基台１ａから嵌合孔１ｃ内に突出する突出部３ｂとを同軸に有するピン状に形成されている。なお、雄端子３は、図１の二点鎖線の矢印により示されるように嵌合孔１ｃ側から挿入されて基台１ａに組付けられることにより、軸線方向中間部に設けられた大径フランジが基台１ａに形成された凹設部に嵌合状態に受容され、嵌合孔１ｃ側から基台１ａ側に向けて抜け止めされる。
【００２６】
また、基台１ａにおける周壁１ｂにより囲まれた範囲は、雄端子３を縦５列・横２列で配置するための範囲よりも広く、雄端子３の縦列方向に拡げられている。矩形状に囲む周壁１ｂの４辺において、上記拡げられた側の辺に対応する内面には３本のリブ１ｄが突条形状に突設されている。３本のリブ１ｄは、互いに所定の間隔をあけてそれぞれ基台１ａから周壁１ｂの開口面に至るように延在している。
【００２７】
本実施例のソケット２は、嵌合孔１ｃに突入状態に受容される矩形ブロック状の雌端子支持体２ａと、雌端子支持体２ａの突入方向後端部にて半径方向外側に拡大された矩形フランジ状の把持部２ｂとを有する形状に形成されている。雌端子支持体２ａには、各雄端子３を挿入可能に突入方向に開口する複数の雄端子挿入口１１が、雄端子３と同様に縦５列・横２列の格子状の配置パターンにおいて、雄端子３に対応する各位置に設けられている。
【００２８】
ソケット２には、雌端子支持体２ａのヘッダ１への突入方向（図４の矢印Ｉ）端近傍の上面から斜め後方（突入方向Ｉの反対側）に延出された左右一対の弾性係合片１２が形成されている。これら一対の弾性係合片１２は、ヘッダ１及びソケット２の嵌合状態で上記３本のリブ１ｄによる左右一対の溝内にそれぞれ受容される。
【００２９】
弾性係合片１２の上面の中間部には係合突部１２ａが形成されている。ヘッダ１の周壁１ｂの上記３本のリブ１ｄの各隣り合う間には、雌端子支持体２ａが嵌合孔１ｃに所定量突入することにより、弾性係合片１２の弾性復元力により係合突部１２ａが突入し得る凹状の係合凹部１ｅが設けられている。なお、弾性係合片１２の延出方向端部１２ｂは、把持部２ｂに形成された貫通孔を介してソケット２の後方に延出されている。
【００３０】
ヘッダ１に対して所定の位置までソケット２が嵌合されると、弾性係合片１２の復元力により係合突部１２ａが係合凹部１ｅに突入し、ヘッダ１に対するソケット２の抜け止め方向に係合凹部１ｅと係合突部１２ａとが係合し、ヘッダ１とソケット２とが嵌合結合状態となる（図５）。この嵌合結合状態では、ヘッダ１の外側にソケット２のフランジ状の把持部２ｂが露出しており、ユーザ（図示省略）は把持部２ｂを把持することによりソケット２のヘッダ１に対する挿抜作業を容易に行うことができる。なお、弾性係合片１２の延出方向端部１２ｂを操作して上記係合突部１２ａの係合凹部１ｅとの係合状態を解除することにより、ソケット２をヘッダ１から外すことができる。
【００３１】
本発明の対象となるコネクタは、最大接続数（実施例では１０極）よりも少ない接続数（実施例では９極）で使用される。その未使用となる極に対応する位置に、ヘッダ１には、その周壁１ｂの内面に基台１ａから周壁１ｂの開口面に向けて突出する柱状のストッパ突部１３が形成されていると共に、ソケット２には、その雌端子支持体２ａのストッパ突部１３に対応する位置に、ヘッダ１との嵌合状態でストッパ突部１３を受容するように、ストッパ突部１３に対応する雄端子挿入口の所に、雌端子支持体２ａの側面（図における下面）に開口する溝状のストッパ用凹部１４が形成されている。ストッパ用凹部１４は、雌端子支持体２ａの突出方向端面に、実施例では縦５列・横２列の配置パターンの１箇所の雄端子挿入口１１を拡開及び又は変形した形状にて開口している。
【００３２】
ストッパ突部１３は、ソケット２の雌端子支持体２ａをヘッダ１の嵌合孔１ｃに突入させる際に、雄端子挿入口１１に嵌入不能な形状及び又は大きさであるが、ストッパ用凹部１４には受容されるように形成されている。実施例では雄端子挿入口１１よりも横列方向（左右方向）に拡開された形状の嵌入方向端面１３ａを有する柱状に形成されており、異なる位置に設けられている場合には、嵌入方向端面１３ａの左右拡開方向両縁部が雌端子支持体２ａの雄端子挿入口１１の左右両外側部分に当接する。
【００３３】
このようにストッパ突部１３と、それに対応するストッパ用凹部１４とが設けられていることにより、雄端子３及び雌端子４間の配置パターンが一致している場合、すなわちストッパ突部１３及びストッパ用凹部１４の位置が対応している場合には、ヘッダ１とソケット２とは嵌合状態で結合される。それに対して、雄端子３及び雌端子４の配置関係が不一致の場合、すなわちストッパ突部１３及びストッパ用凹部１４の位置が対応していない場合には、ストッパ突部１３の嵌入方向端面１３ａが雌端子支持体２ａの突出方向端面の一部に衝当して、そのような組合せのヘッダ１とソケット２とは互いに嵌合状態にならず、コネクタの誤接続が防止される。
【００３４】
このように、ヘッダ１において、周壁１ｂに囲まれた内側に雄端子３の非接続となる位置にストッパ突部１３が設けられていると共に、ソケット２の雌端子４を全て配置可能な雌端子支持体２ａにストッパ突部１３に対応する位置にストッパ用凹部１４が設けられている。これにより、ヘッダ１及びソケット２の外形を変えることなく、非接続位置を変えた複数種類のコネクタを設定することができるため、ヘッダ１及びソケット２の金型を大きく変更することなく設計できる。したがって、接続位置や接続数の異なる複数種類のコネクタの製作コストの高騰化を抑制でき、他種類の接続形態のコネクタを安価に提供し得る。
【００３５】
一方、周壁１ｂの外側に突出する突状識別部を設ける形状の場合には、ハウジングの外方に突出する部分があり、コンパクト化が阻害される。また、他の部材との接触により突状識別部に凹みが生じて明確な識別ができないようになった場合には誤接続が生じる可能性がある。それに対して、周壁１ｂに囲まれた内側にストッパ突部１３が設けられていることから、外部接触によるストッパ突部１３に対する損傷が回避される。
【００３６】
また、ヘッダ１において、雄端子３の数（極数）が多くなると、他の条件を変えない場合には嵌合孔１ｃを画定する周壁１ｂの周長が長くなる。周壁１ｂのリブ１ｄが形成されている部分は高い強度が得られるが、リブや角の存在しない長さが長い部分の強度が低下する虞がある。そのような場合でも、リブや角の存在しない長さが長い部分に、周壁１ｂに突条に形成されたストッパ突部１３が設けられていることにより、ストッパ突部１３がリブとして機能するため、その部分の強度が高められる。これにより、最大接続数が多いコネクタの雄ハウジングにおいて、周壁の延在方向長さが長い部分に沿って配置された極のいずれかが未使用となる場合には、その位置にストッパ突部１３が設けられることにより周壁の強度が高められるため、例えば別途リブを設けたり、肉厚を厚くしたりする必要がなくなり、ハウジングのコンパクト化が向上される。
【００３７】
また、ソケット２のヘッダ１への突入方向とは相反する側となる後端面には、図３に示されるように、雌端子収容孔２１が開口しているが、ストッパ用凹部１４の位置には、把持部２ｂの対応する部分を内側に延長した形状の閉塞部１５が設けられている。この閉塞部１５により、ストッパ用凹部１４の後端面側が遮蔽されている。例えば、ソケット２をヘッダ１に結合する作業において、ヘッダ１の周壁１ｂにより囲まれた開口面にストッパ突部１３の嵌入方向端面１３ａが露出していることから、ユーザは、未接続極となるストッパ突部１３の位置を容易に視認することができると共に、ヘッダ１へ向けたソケット２の後端面における閉塞部１５の位置も容易に視認することができる。これにより、ソケット２をヘッダ１に嵌合状態にする前に、未接続極同士が一致しているか否かを視認により容易に確認することができ、作業性が向上し得る。
【００３８】
このように、ソケット２の後面には雌端子収容孔２１だけが開口していることから、ソケット２への雌端子４の組付け作業において、雌端子４を過不足無く組付けることができ、雌端子４の誤組付けが防止される。また、ソケット２の前面には雄端子挿入口１１とストッパ用凹部１４とがそれぞれ開口しており、同一外形のソケット２における最大接続数に相当する数の口が開口しているが、本実施例のように、ストッパ用凹部１４が雌端子支持体２ａの側面（図における下面）に開口する溝状に形成されていることにより、雌端子４を間違ってストッパ用凹部１４に挿入して組み付けようとしても脱落し得るため、誤組み付けが生じることがない。ヘッダ１では、雄端子３を挿入する孔となる位置はストッパ突部１３により完全に塞がれており、ヘッダ１においても雄端子３の誤組み付けが防止される。
【００３９】
また、ソケット２には、上記したように雌端子４を抜け止め状態に固定するためのリテーナ５を組付けるためのリテーナ挿入孔１６が設けられている。縦列に対となる雌端子収容孔２１に収容される各雌端子４は、筒状接続部４ａとケーブル圧着部４ｂとの間の空間部分を互いに対向させる対称形に配置される。棒状のリテーナ５の断面形状は、対となる雌端子４の筒状接続部４ａとケーブル圧着部４ｂとの間の各空間部分に突入する両突部を有する横Ｔ字型に形成されている。
【００４０】
リテーナ挿入孔１６は、縦列に対となる雌端子収容孔２１の間を仕切るべく突入方向Ｉに延在する縦方向仕切り壁を中間部分で分断し、雌端子支持体２ａの図１における左側面に開口しかつ右側面に至るように掘り込まれている。横列方向に並べられた各雌端子収容孔２１間を仕切る横方向仕切り壁にはリテーナ５の横Ｔ字型断面に合わせた形状の各開口２ｃが設けられており、これら開口２ｃと上記縦方向仕切り壁の分断部分とによりリテーナ挿入孔１６が形成されている。
【００４１】
なお、リテーナ５には、リテーナ挿入孔１６への挿入状態で、縦方向仕切り壁をしまり嵌め状態に挟むように形成された一対の突部５ｂが設けられている。これにより、リテーナ５の挿入状態が保持される。リテーナ挿入孔１６に挿入されたリテーナ５のＴ字型における両突部が雌端子４の筒状接続部４ａとケーブル圧着部４ｂとの間の空間部分に突入した状態になることにより、雌端子４の抜け方向に筒状接続部４ａがリテーナ５に係合し、雌端子４が抜け止めされる。なお、実施例では、雌端子４に設けられた係合片４ｃと、雌端子収容孔２１の壁面に設けられた係合突部２１ａとが、雄端子挿入口１１の所定位置まで雌端子４が挿入されることにより係合し、雌端子４が抜け止めされる。また、その係合状態では筒状接続部４ａとケーブル圧着部４ｂとの間の空間部分が開口２ｃと整合する。これにより、リテーナ５の挿入作業を容易に行うことができると共に、雌端子４の抜け止めかつ固定をより確実にすることができる。
【００４２】
このようにして組付けられるリテーナ５は、ストッパ用凹部１４が設けられた部分でストッパ用凹部１４の軸線に直交して横切るようになる。それに対して、ソケット２に形成されたストッパ用凹部１４の底壁１４ａには、図４（Ｂ）に示されるように、リテーナ５をストッパ用凹部１４内に露出させることなく底壁１４ａに埋没状態に受容するリテーナ没入孔１４ｂが設けられている。なお、リテーナ没入孔１４ｂは、リテーナ挿入孔１６の軸線方向視で各開口２ｃと重なるように開口しており、リテーナ挿入孔１６の一部として構成されている。
【００４３】
図３に示されるように、底壁１４ａの厚さａは他の縦方向仕切り壁の厚さｂよりも厚く形成されており（ａ＞ｂ）、リテーナ５と底壁１４ａとは広い範囲で互いに当接する係合状態になり得る。例えば各雌端子４のピッチが狭められた細密型のコネクタの場合には、仕切り壁の肉厚も薄くなり、薄肉の仕切り壁とリテーナ５との係合における当接面積が減少すると、雌端子４に加わる挿抜方向の荷重により薄肉の仕切り壁が変形する虞が生じる。それに対して、厚肉の底壁１４ａが設けられていることにより、底壁１４ａとの係合によりリテーナ５を支持することができるため、他の薄肉の仕切り壁の変形が抑制される。したがって、コネクタの狭ピッチ化かつ小型化に対応し得る。
【００４４】
なお、上記実施例では、ソケット２には、弾性係合片１２が設けられていない側にストッパ用凹部１４が設けられ、ヘッダ１には、周壁１ｂの対応する部分にストッパ突部１３を周壁１ｂと一体の突条として設けている。それに対して、弾性係合片１２が設けられている側にストッパ用凹部１４を設ける場合には、雌端子支持体２ａと周壁１ｂとの間に弾性係合片１２を受容するスペースを設けることから、ストッパ突部１３は基台１ａから独立して立設された柱状に形成することにより対応し得る。なお、ストッパ突部１３を柱状に形成するのは、上記実施例において適用してもよい。
【００４５】
以上、本発明を、その好適実施形態の実施例について説明したが、当業者であれば容易に理解できるように、本発明はこのような実施例に限定されるものではなく、本発明の趣旨を逸脱しない範囲で適宜変更可能である。例えば、上記実施例ではストッパ用凹部１４のストッパ突部１３に対向する開口の形状を横１列の同列方向に拡開した形状としたが、雄端子挿入口１１より大きく、ストッパ突部１３の嵌入方向端面１３ａが嵌入不能であれば拡開方向や形状を図示の実施例に限られるものではなく、種々の形状及び又は大きさの組合せが適用される。また、上記実施形態に示した構成要素は必ずしも全てが必須なものではなく、本発明の趣旨を逸脱しない限りにおいて適宜取捨選択することが可能である。
【符号の説明】
【００４６】
１  ヘッダ（雄ハウジング）
１ａ  基台
１ｂ  周壁
２  ソケット（雌ハウジング）
２ａ  突入部
３  雄端子
４  雌端子
１１  雄端子挿入口
１３  ストッパ突部
１３ａ  嵌入方向端面
１４  ストッパ用凹部（ストッパ突部を受容可能としたもの）
１４ａ  底壁
１５  閉塞部
２１  雌端子収容孔
【図１】
2017059491.tif 000003
【図２】
2017059491.tif 000004
【図３】
2017059491.tif 000005
【図４】
2017059491.tif 000006
【図５】
2017059491.tif 000007